(57)【要約】  雑音をより抑制することができ、チャネル推定の精度をより向上させる。  ＴＤＤを利用した無線通信システムをなす受信装置に、交互に繰り返されるＵＬとＤＬのうちの、ＵＬ前後のＤＬの受信信号の位相差を推定する位相差推定手段と、推定された位相差により、ＵＬ前後のＤＬの受信信号の位相を補正する位相補正手段と、位相が補正された受信信号によりチャネル推定を行うチャネル推定手段とを設ける。
2013190922.tif 000002
【特許請求の範囲】
【請求項１】
ＴＤＤ（Ｔｉｍｅ  Ｄｉｖｉｓｉｏｎ  Ｄｕｐｌｅｘ）を利用した無線通信システムをなす受信装置において、
交互に繰り返されるアップリンクとダウンリンクのうちの、アップリンク前後のダウンリンクの受信信号の位相差を推定する位相差推定手段と、
推定された位相差により、アップリンク前後のダウンリンクの受信信号の位相を補正する位相補正手段と、
位相が補正された受信信号によりチャネル推定を行うチャネル推定手段と
を有することを特徴とする受信装置。
【請求項２】
請求項１に記載の受信装置において、
前記位相差推定手段は、アップリンク前後のチャネル推定値を使用して、アップリンク前後のダウンリンクの受信信号の位相差を推定する
ことを特徴とする受信装置。
【請求項３】
請求項１または請求項２に記載の受信装置において、
前記位相補正手段は、推定された位相差により、アップリンク前のチャネル推定値の位相を補正する
ことを特徴とする受信装置。
【請求項４】
請求項１から請求項３のいずれか１項に記載の受信装置において、
前記チャネル推定手段は、チャネル推定方式として時間平均を用いて、位相が補正された受信信号によりチャネル推定を行う
ことを特徴とする受信装置。
【請求項５】
請求項１から請求項４のいずれか１項に記載の受信装置において、
前記無線通信システムは、無線通信方式としてＯＦＤＭ（ｏｒｔｈｏｇｏｎａｌ  ｆｒｅｑｕｅｎｃｙ−ｄｉｖｉｓｉｏｎ  ｍｕｌｔｉｐｌｅｘｉｎｇ）を用いる
ことを特徴とする受信装置。
【請求項６】
請求項１から請求項４のいずれか１項に記載の受信装置において、
前記無線通信システムは、無線通信方式としてＴＤ−ＬＴＥ（Ｔｉｍｅ  Ｄｉｖｉｓｉｏｎ  Ｌｏｎｇ  Ｔｅｒｍ  Ｅｖｏｌｕｔｉｏｎ）を用いる
ことを特徴とする受信装置。
【請求項７】
ＴＤＤを利用した無線通信システムをなす受信装置の受信方法において、
交互に繰り返されるアップリンクとダウンリンクのうちの、アップリンク前後のダウンリンクの受信信号の位相差を推定する位相差推定ステップと、
推定された位相差により、アップリンク前後のダウンリンクの受信信号の位相を補正する位相補正ステップと、
位相が補正された受信信号によりチャネル推定を行うチャネル推定ステップと
を含むことを特徴とする受信方法。
【請求項８】
ＴＤＤを利用した無線通信システムをなす受信装置のコンピュータに、
交互に繰り返されるアップリンクとダウンリンクのうちの、アップリンク前後のダウンリンクの受信信号の位相差を推定する位相差推定ステップと、
推定された位相差により、アップリンク前後のダウンリンクの受信信号の位相を補正する位相補正ステップと、
位相が補正された受信信号によりチャネル推定を行うチャネル推定ステップと
を含む処理を行わせるプログラム。
【発明の詳細な説明】
【技術分野】
【０００１】
本発明は受信装置および受信方法、並びにコンピュータプログラムに関する。
【背景技術】
【０００２】
近年、通信技術の発達はめざましく、大容量のデータを高速で通信するシステムが実現されつつある。これは、有線通信のみのことではなく、無線通信においても同様である。すなわち、携帯電話機などの移動端末の普及に伴い、無線でも大容量のデータを高速で通信し、動画や音声などのマルチメディアデータを移動端末でも利用可能とする次世代通信方式の研究、開発が盛んに行われている。【０００３】
無線通信では、受信信号は無線通信路（チャネル）において、マルチパスフェージング等に起因する信号の歪みが生じる。そこで、データシンボルと共に多重されて送信される既知のリファレンスシグナルを用いて、各サブキャリアのチャネル特性の推定値（チャネル推定値）を求め、受信機で信号の歪みを補償する必要がある。チャネル推定値の精度が低いと、チャネルで受けた信号の歪みが適切に補正されず、受信信号の復調精度が低下することから、チャネル推定値の精度を向上させるための方式がさまざま提案されている。特許文献１には、チャネル推定値を時間平均することにより、チャネル推定値中の雑音を抑制できることが示されている。また、特許文献2には、ダウンリンク（ＤＬ）チャネルとアップリンク（ＵＬ）チャネルのチャネル推定値に基づいて、アクセスポイントとユーザ端末におけるチャネル応答を得るための補正率を決定することが示されている。【０００４】
図１０および図１１を参照して、ＴＤ−ＬＴＥ（Ｔｉｍｅ  Ｄｉｖｉｓｉｏｎ  Ｌｏｎｇ  Ｔｅｒｍ  Ｅｖｏｌｕｔｉｏｎ）の受信機の一般的なチャネル推定動作を説明する。【０００５】
図１０は、従来の受信機のチャネル推定部の構成を示すブロック図であり、特許文献1に示されるようなチャネル推定値の時間平均を求める構成を示す。受信機のチャネル推定部１０１は、パターンキャンセル部１２１と、バッファ１２２、時間平均処理部１２３、および補間処理部１２４とを備えている。チャネル推定部１０１には、ＦＦＴ（Ｆａｓｔ  Ｆｏｕｒｉｅｒ  Ｔｒａｎｓｆｏｒｍ）処理部（図示せず）の出力の中に含まれるリファレンスシグナルが入力される。パターンキャンセル部１２１は、リファレンスシグナルに掛けられている擬似ランダムパターンをキャンセルし、リファレンスシグナルのチャネル推定値を求める。バッファ１２２は、次回のチャネル推定処理で時間平均をするためにリファレンスシグナルのチャネル推定値を保持する。時間平均処理部１２３は、パターンキャンセル部１２１から入力される現在のサブフレームのチャネル推定値と、バッファ１２２で保持されている直前のＤＬサブフレームのチャネル推定値とを時間平均し、雑音が抑制されたチャネル推定値を得る。補間処理部１２４は、リファレンスシグナル間のチャネル推定値を算出し、各サブキャリアのチャネル推定値を出力する。【０００６】
図１１は、図１０に示す受信機のチャネル推定動作を説明するフローチャートである。ステップＳ１０１において、パターンキャンセル部１２１で、リファレンスシグナルに掛けられている擬似ランダムパターンがキャンセルされ、リファレンスシグナルのチャネル推定値が求められる。【０００７】
ステップＳ１０２において、リファレンスシグナルのチャネル推定値はバッファ１２２に入力され、次回のチャネル推定処理で時間平均をするために保持される。ステップＳ１０３において、現在のサブフレームがＵＬ直後かどうか判定される。ステップＳ１０３において、ＵＬ直後ではないと判定された場合、つまり、直前のＤＬサブフレームが存在する場合は、ステップＳ１０４において、パターンキャンセル部１２１から入力される現在のサブフレームのチャネル推定値と、バッファ１２２で保持されている直前のＤＬサブフレームのチャネル推定値とが時間平均処理部１２３で時間平均され、雑音が抑制されたチャネル推定値が得られる。手続はステップＳ１０４の後、ステップＳ１０５に進む。【０００８】
一方、ステップＳ１０３において、ＵＬ直後であると判定された場合、つまり、直前のＤＬサブフレームが存在しない場合、時間平均処理は行われず、パターンキャンセル部１２１からの入力が時間平均処理部１２３からそのまま出力され、手続は、ステップＳ１０５に進む。【０００９】
ステップＳ１０５において、補間処理部１２４で、リファレンスシグナル間のチャネル推定値が算出され、各サブキャリアのチャネル推定値が出力され、チャネル推定動作は終了する。
【先行技術文献】
【特許文献】
【００１０】
【特許文献１】特表２００９‐５２１１３２号公報
【特許文献２】特開２０１１‐２３４３６１号公報
【発明の概要】
【発明が解決しようとする課題】
【００１１】
しかしながら、ＵＬとＤＬが交互に繰り返されるＴＤＤ（Ｔｉｍｅ  Ｄｉｖｉｓｉｏｎ  Ｄｕｐｌｅｘ）システムにおいて、従来のチャネル推定方法では、ＵＬ直後のＤＬサブフレームにおいては、直前のサブフレームのチャネル推定値と時間平均することができないため、時間平均による雑音抑制効果が得られず、ＵＬ直後のＤＬサブフレームのチャネル推定の精度は他のサブフレームよりも劣化してしまう。また、直前のサブフレームのチャネル推定値の代わりに、ＵＬ前のチャネル推定値と時間平均しようとしても、ＵＬ直後のＤＬサブフレームにおいて位相同期回路（ＰＬＬ：Ｐｈａｓｅ−Ｌｏｃｋｅｄ  Ｌｏｏｐ）が再起動されると、ＵＬ前後の受信信号の位相が不連続となるため、直前のサブフレームのチャネル推定値の代わりに、ＵＬ前のチャネル推定値と時間平均することもできない。【００１２】
特許文献２には、たとえば００６３段落に、ＤＬチャネルとＵＬチャネルとの間の位相差を正規化する旨の記載がある。しかし、これは送受信間の位相差に関するもので、ＵＬを挟んだＤＬ間の受信信号の位相の連続性を考慮したものではない。【００１３】
本発明は、上記課題を解決し、雑音をより抑制することができ、チャネル推定の精度をより向上させた受信装置および受信方法、並びにプログラムを提供することを目的とする。
【課題を解決するための手段】
【００１４】
上記課題を解決するために、本発明の受信装置の一側面は、ＴＤＤを利用した無線通信システムをなす受信装置であって、交互に繰り返されるＵＬとＤＬのうちの、ＵＬ前後のＤＬの受信信号の位相差を推定する位相差推定手段と、推定された位相差により、ＵＬ前後のＤＬの受信信号の位相を補正する位相補正手段と、位相が補正された受信信号によりチャネル推定を行うチャネル推定手段とを有するものとされている。【００１５】
また、本発明の受信方法の一側面は、ＴＤＤを利用した無線通信システムをなす受信装置の受信方法であって、交互に繰り返されるＵＬとＤＬのうちの、ＵＬ前後のＤＬの受信信号の位相差を推定する位相差推定ステップと、推定された位相差により、ＵＬ前後のＤＬの受信信号の位相を補正する位相補正ステップと、位相が補正された受信信号によりチャネル推定を行うチャネル推定ステップとを含むものとされている。【００１６】
さらに、本発明のプログラムの一側面は、ＴＤＤを利用した無線通信システムをなす受信装置のコンピュータに、交互に繰り返されるＵＬとＤＬのうちの、ＵＬ前後のＤＬの受信信号の位相差を推定する位相差推定ステップと、推定された位相差により、ＵＬ前後のＤＬの受信信号の位相を補正する位相補正ステップと、位相が補正された受信信号によりチャネル推定を行うチャネル推定ステップとを含む処理を行わせるものとされている。
【発明の効果】
【００１７】
本発明によれば、雑音をより抑制することができ、チャネル推定の精度をより向上させた受信装置および受信方法、並びにプログラムを提供することができる。
【図面の簡単な説明】
【００１８】
【図１】ＴＤ−ＬＴＥの送信機の構成を示すブロック図である。
【図２】ＴＤ−ＬＴＥの受信機の構成を示すブロック図である。
【図３】チャネル推定部２６の構成例を示すブロック図である。
【図４】チャネル推定の動作を説明するフローチャートである。
【図５】サブフレームの構成を説明する図である。
【図６】チャネル推定に用いられるサブフレームの例を説明する図である。
【図７】チャネル推定に用いられるサブフレームの例を説明する図である。
【図８】チャネル推定に用いられるサブフレームの例を説明する図である。
【図９】コンピュータのハードウェアの構成例を示すブロック図である。
【図１０】従来の受信機のチャネル推定部の構成を示すブロック図である。
【図１１】従来の受信機のチャネル推定動作を説明するフローチャートである。
【発明を実施するための形態】
【００１９】
以下、本発明の一実施の形態の通信システムについて、図１〜図９を参照しながら説明する。以下、３ＧＰＰ（３ｒｄ  Ｇｅｎｅｒａｔｉｏｎ  Ｐａｒｔｎｅｒｓｈｉｐ  Ｐｒｏｊｅｃｔ）のＴＤ−ＬＴＥ（Ｔｉｍｅ  Ｄｉｖｉｓｉｏｎ  Ｌｏｎｇ  Ｔｅｒｍ  Ｅｖｏｌｕｔｉｏｎ）を例に説明する。
【００２０】
図１は、ＴＤ−ＬＴＥの送信機の構成を示すブロック図である。送信機１０は、後述の受信機と共に通信システムをなし、チャネル符号化部１１、変調部１２、ＩＦＦＴ（Ｉｎｖｅｒｓｅ  Ｆａｓｔ  Ｆｏｕｒｉｅｒ  Ｔｒａｎｓｆｏｒｍ）処理部１３、ＣＰ（Ｃｙｃｌｉｃ  Ｐｒｅｆｉｘ）付加部１４、Ｄ/Ａ（Ｄｉｇｉｔａｌ／Ａｎａｌｏｇ）変換部１５、および送信アンテナ１６を備えている。
【００２１】
送信機１０では、各ユーザ宛の送信データは、まず、チャネル符号化部１１で誤り検出符号化・誤り訂正符号化が施され、変調部１２でＩ成分、Ｑ成分にマッピングされる。次に、ＩＦＦＴ処理部１３で時間領域の信号波へ変換され、ＣＰ付加部１４でマルチパスによるシンボル間干渉の影響を防ぐために、ＯＦＤＭシンボルの先頭にＣＰが付加される。ＣＰが付加されたＯＦＤＭシンボルは、Ｄ／Ａ変換部１５でデジタル信号からアナログ信号へ変換された後、送信アンテナ１６から送信される。
【００２２】
図２は、ＴＤ−ＬＴＥの受信機の構成を示すブロック図である。受信機２０は、受信装置を構成する。受信機２０は、受信アンテナ２１、Ａ／Ｄ（Ａｎａｌｏｇ／Ｄｉｇｉｔａｌ）変換部２２、ＦＦＴ（Ｆａｓｔ  Ｆｏｕｒｉｅｒ  Ｔｒａｎｓｆｏｒｍ）タイミング検出部２３、ＣＰ除去部２４、ＦＦＴ処理部２５、チャネル推定部２６、復調部２７、およびチャネル復号部２８を備えている。
【００２３】
受信機２０では、受信アンテナ２１で受信された受信信号は、Ａ／Ｄ変換部２２でアナログ信号からデジタル信号に変換された後、ＦＦＴタイミング検出部２３とＣＰ除去部２４に入力される。ＣＰ除去部２４では、ＦＦＴタイミング検出部２３で検出されたＦＦＴタイミング情報を基に、ＯＦＤＭシンボルから先頭に付加されているＣＰが除去され、ＦＦＴ処理部２５で時間領域の信号波から各サブキャリア成分に変換される。
【００２４】
チャネル推定部２６は、データシンボルと共に多重されて送信される既知のリファレンスシグナルを用いて、各サブキャリアのチャネル推定値を求める。各サブキャリアの受信信号にチャネル推定値の複素共役を乗算することによって、チャネルで受けた信号の歪みが補償（チャネル等化）される。チャネルの影響が補償された、各サブキャリアの受信信号は復調部２７でＩ成分、Ｑ成分から尤度情報に変換され、チャネル復号部２８で誤り訂正復号・誤り検出が行われ、受信データが得られる。
【００２５】
図３は、チャネル推定部２６の構成の例を示すブロック図である。チャネル推定部２６は、パターンキャンセル部３１、バッファ３２、位相差推定部３３、位相補正部３４、時間平均処理部３５、および補間処理部３６を備えている。
【００２６】
チャネル推定部２６には、ＦＦＴ処理部２５の出力の中に含まれるリファレンスシグナルが入力される。パターンキャンセル部３１は、リファレンスシグナルに掛けられている擬似ランダムパターンをキャンセルし、リファレンスシグナルのチャネル推定値を求める。パターンキャンセル部３１は、リファレンスシグナルのチャネル推定値をバッファ３２、位相差推定部３３、および時間平均処理部３５に供給する。
【００２７】
バッファ３２は、パターンキャンセル部３１から供給されたリファレンスシグナルのチャネル推定値を、次回のチャネル推定処理で時間平均をするために保持する。バッファ３２は、保持しているリファレンスシグナルのチャネル推定値を位相差推定部３３および位相補正部３４に供給する。
【００２８】
位相差推定部３３は、位相差推定手段を構成し、パターンキャンセル部３１から入力される現在のサブフレームのチャネル推定値と、バッファ３２で保持されているＵＬ前のチャネル推定値からＵＬ前後の位相差φを推定する。位相差推定部３３は、ＵＬ前後の位相差φの推定の結果を位相補正部３４に供給する。すなわち、位相差推定部３３は、交互に繰り返されるＵＬとＤＬのうちの、ＵＬ前後のＤＬの受信信号の位相差を推定する。
【００２９】
位相補正部３４は、位相補正手段を構成し、バッファ３２で保持されているＵＬ前のチャネル推定値にＵＬ前後の位相差φを乗算することにより、ＵＬ前のチャネル推定値の位相を現在のサブフレームのチャネル推定値の位相に合わせる。すなわち、位相補正部３４は、推定された位相差により、ＵＬ前後のＤＬの受信信号の位相を補正する。
【００３０】
時間平均処理部３５は、チャネル推定手段を構成し、パターンキャンセル部３１から入力される現在のサブフレームのチャネル推定値と、位相補正部３４で補正されたＵＬ前のチャネル推定値とを時間平均し、雑音が抑制されたチャネル推定値を得る。すなわち、時間平均処理部３５は、位相が補正された受信信号によりチャネル推定を行う。
【００３１】
補間処理部３６は、リファレンスシグナル間のチャネル推定値を算出し、各サブキャリアのチャネル推定値を出力する。
【００３２】
次に、図４のフローチャートを参照してチャネル推定の動作を説明する。ステップＳ１０において、パターンキャンセル部３１は、リファレンスシグナルに掛けられている擬似ランダムパターンをキャンセルし、リファレンスシグナルのチャネル推定値を求める。ステップＳ１１において、バッファ３２は、パターンキャンセル部３１から入力されたリファレンスシグナルのチャネル推定値を、次回のチャネル推定処理で時間平均をするために保持する。
【００３３】
ステップＳ１２において、チャネル推定部２６は、現在のサブフレームがＵＬ直後かどうかを判定する。ステップＳ１２において、ＵＬ直後ではないと判定された場合、つまり、直前のＤＬサブフレームが存在する場合、手続はステップＳ１３に進み、時間平均処理部３５は、パターンキャンセル部３１から入力される現在のサブフレームのチャネル推定値と、バッファ３２で保持されている直前のＤＬサブフレームのチャネル推定値とを時間平均し、雑音が抑制されたチャネル推定値を得る。ステップＳ１３の後、手続はステップＳ１７に進む。
【００３４】
一方、ステップＳ１２において、ＵＬ直後であると判定された場合、つまり、直前のＤＬサブフレームが存在しない場合、手続はステップＳ１４に進む。ＵＬ直後において、ＵＬサブフレームではチャネル推定部２６にリファレンスシグナルは入力されないため、バッファ３２にはＵＬ前のチャネル推定値が保持されている。また、ＵＬ直後のＤＬサブフレームにおいて位相同期回路が再起動されると、ＵＬ前後の受信信号の位相が不連続となるため、パターンキャンセル部３１から入力される現在のサブフレームのチャネル推定値と、バッファ３２で保持されているＵＬ前のチャネル推定値もそれぞれ異なる位相を持つことになる。
【００３５】
ステップＳ１４において、位相差推定部３３は、パターンキャンセル部３１から入力される現在のサブフレームのチャネル推定値と、バッファ３２で保持されているＵＬ前のチャネル推定値から、ＵＬ前後の位相差を推定する。ステップＳ１４は、位相差推定ステップに対応する。
【００３６】
具体的には、位相差推定部３３は、式（１）に示される演算により、ＵＬ前後の位相差φを推定する。
【数１】
2013190922.tif 000003
・・・式（１）
式（１）において、変数Ｎは、リファレンスシグナルの数を示し、チャネル推定値ｈ＿ｃｕｒｒ（ｉ）は、現在のサブフレームのｉ番目のチャネル推定値を示し、チャネル推定値ｈ＿ｐｒｅｖ（ｉ）は、ＵＬ前のｉ番目のチャネル推定値を示す。
【００３７】
このように、位相差推定部３３は、ＵＬ前後のチャネル推定値を使用して、ＵＬ前後のＤＬの受信信号の位相差を推定する。
【００３８】
位相差推定部３３で推定されたＵＬ前後の位相差φは位相補正部３４に入力される。ステップＳ１５において、位相補正部３４は、バッファ３２で保持されているＵＬ前のチャネル推定値にＵＬ前後の位相差φを乗算することにより、ＵＬ前のチャネル推定値の位相を現在のサブフレームのチャネル推定値の位相に合わせる。ステップＳ１５は、位相補正ステップに対応する。このように、位相補正部３４は、推定された位相差φにより、ＵＬ前のチャネル推定値の位相を補正する。
【００３９】
ステップＳ１６において、時間平均処理部３５は、パターンキャンセル部３１から入力される現在のサブフレームのチャネル推定値と、位相補正部３４で補正されたＵＬ前のチャネル推定値とを時間平均し、雑音が抑制されたチャネル推定値を得る。ステップＳ１６は、チャネル推定ステップに対応する。このように、時間平均処理部３５は、チャネル推定方式として時間平均を用いて、位相が補正された受信信号によりチャネル推定を行う。
【００４０】
ステップＳ１７において、補間処理部３６は、リファレンスシグナル間のチャネル推定値を算出し、各サブキャリアのチャネル推定値を出力して、チャネル推定は終了する。
【００４１】
次に、図５〜図８を参照しながら、３ＧＰＰのＴＤ−ＬＴＥを用いてチャネル推定を説明する。ＴＤ−ＬＴＥでは、あらかじめ決められたパターンでＵＬとＤＬが交互に繰り返される。図５は、３ＧＰＰで定義されているＵＬ／ＤＬコンフィグレーション２の場合のサブフレーム構成を示す図である。ＵＬ／ＤＬコンフィグレーション２の場合のサブフレームは、サブフレーム＃０からサブフレーム＃９で構成される。サブフレーム＃０、サブフレーム＃３、サブフレーム＃４、サブフレーム＃５、サブフレーム＃８、およびサブフレーム＃９は、ＤＬサブフレームであり、サブフレーム＃２およびサブフレーム＃７は、ＵＬサブフレームであり、サブフレーム＃１およびサブフレーム＃６は、ＤｗＰＴＳと称されるＤＬ部分と、ＧＡＰと称される送信の無い部分と、ＵｐＰＴＳと称されるＵＬ部分とから成るスペシャルサブフレームである。
【００４２】
図５において、送信の無い部分とＵＬ部分とには、斜線が付されている。
【００４３】
ここで、サブフレーム＃ｎに注目する。図６に示されるようにサブフレーム＃ｎ−１とサブフレーム＃ｎとが共にＤＬサブフレームの場合、サブフレーム＃ｎのチャネル推定において、直前のサブフレーム＃ｎ−１のチャネル推定値と時間平均ができるため、雑音を抑制することができ、チャネル推定の精度が向上する。
【００４４】
一方、図７に示されるように、サブフレーム＃ｎ−１がＵＬサブフレーム、サブフレーム＃ｎがＤＬサブフレームの場合、サブフレーム＃ｎのチャネル推定において、直前のサブフレーム＃ｎ−１のチャネル推定値と時間平均をすることはできないため、雑音を抑制することができない。その結果、チャネル推定値は他のサブフレームよりも劣化してしまう。
【００４５】
図８に示されるように、更に１つ前のサブフレーム＃ｎ−２のチャネル推定値と時間平均を行えば雑音を抑制することができ、チャネル推定の精度が向上するが、間にＵＬサブフレームが入るため、ＵＬ直後のＤＬサブフレームにおいて位相同期回路が再起動されると、サブフレーム＃ｎ−２とサブフレーム＃ｎのチャネル推定値の位相が一致しないため、そのままでは時間平均はできない。例えば、サブフレーム＃ｎ−２とサブフレーム＃ｎのチャネル推定値の位相が１８０度異なっていた場合、時間平均すると互いに打ち消しあってしまうことになる。
【００４６】
そこで、受信機２０では、ＵＬ直後の位相差を推定し、サブフレーム＃ｎ−２のチャネル推定値の位相を補正してから時間平均することにより、ＵＬ直後のサブフレーム＃ｎのチャネル推定においても、ＵＬ前のサブフレーム＃ｎ−２のチャネル推定値と時間平均が可能となるため、雑音を抑制することができチャネル推定の精度が向上する。
【００４７】
上述の実施の形態では、ＵＬ直前のチャネル推定値（過去）とＵＬ直後のチャネル推定値（現在）の２つを使用した時間平均を例にあげたが、これに限るものではない。時間平均に使用するチャネル推定値は２つ以上でも良いし、過去方向のチャネル推定値だけでなく、未来方向のチャネル推定値を使用しても良い。
【００４８】
また、上述の実施の形態では、チャネル推定の時間平均を例にあげたが、これに限るものではない。ＵＬ直後の位相差を推定し、補正することにより、ＵＬ直後のＤＬサブフレームにおいて過去方向のチャネル推定を使用した様々なチャネル推定方法や補間処理を用いることができる。
【００４９】
さらに、上述の実施の形態では、位相補正の際に、ＵＬ前のチャネル推定値を補正する場合を例にあげたが、これに限るものではない。補正を行うチャネル推定値はＵＬ後のチャネル推定値でも良い。
【００５０】
さらにまた、上述の実施の形態では、位相推定の際に、ＵＬ直後のチャネル推定値をＵＬ前のチャネル推定値で除算することにより、位相差を複素数として推定したが、位相差の推定方法はこれに限るものではない。上述の実施の形態とは逆にＵＬ前のチャネル推定値をＵＬ直後のチャネル推定値で除算しても良いし、複素数ではなく角度として求めてもよい。
【００５１】
また、以上において、３ＧＰＰで議論されているＴＤ−ＬＴＥを例に説明したが、必ずしもこれに限るものではない。ＴＤＤを用いた他の無線通信システムにも同様に適用することができる。すなわち、無線通信システムは、無線通信方式としてＯＦＤＭ（ｏｒｔｈｏｇｏｎａｌ  ｆｒｅｑｕｅｎｃｙ−ｄｉｖｉｓｉｏｎ  ｍｕｌｔｉｐｌｅｘｉｎｇ）を用いることができる。また、無線通信システムは、無線通信方式としてＴＤ−ＬＴＥ（Ｔｉｍｅ  Ｄｉｖｉｓｉｏｎ  Ｌｏｎｇ  Ｔｅｒｍ  Ｅｖｏｌｕｔｉｏｎ）を用いることができる。
【００５２】
このように、ＵＬ直後のＤＬサブフレームのチャネル推定において、ＵＬ前後の受信信号の位相差を推定し、ＵＬ前のチャネル推定値の位相を補正した後にＵＬ後のチャネル推定値と時間平均を行うことによって受信特性を改善することができる。
【００５３】
すなわち、交互に繰り返されるＵＬとＤＬのうちの、ＵＬ前後のＤＬの受信信号の位相差を推定し、推定された位相差により、ＵＬ前後のＤＬの受信信号の位相を補正し、位相が補正された受信信号によりチャネル推定を行うようにしたので、ＵＬ直後のＤＬサブフレームのチャネル推定の精度が劣化することがないので、雑音をより抑制することができ、チャネル推定の精度をより向上させることができる。
【００５４】
なお、本発明は、携帯電話機、データ通信カード、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄａｔａ  Ａｓｓｉｓｔａｎｃｅ，Ｐｅｒｓｏｎａｌ  Ｄｉｇｉｔａｌ  Ａｓｓｉｓｔａｎｔｓ）、スマートフォン、または無線基地局等の通信装置の受信機に適用することができる。
【００５５】
上述した一連の処理は、ハードウェアにより実行することもできるし、ソフトウエアにより実行することもできる。一連の処理をソフトウエアにより実行する場合には、そのソフトウエアを構成するプログラムが、専用のハードウェアに組み込まれているコンピュータ、または、各種のプログラムをインストールすることで、各種の機能を実行することが可能な、例えば汎用のパーソナルコンピュータなどに、プログラム記録媒体からインストールされる。
【００５６】
図９は、上述した一連の処理をプログラムにより実行するコンピュータのハードウェアの構成例を示すブロック図である。
【００５７】
コンピュータにおいて、ＣＰＵ（Ｃｅｎｔｒａｌ  Ｐｒｏｃｅｓｓｉｎｇ  Ｕｎｉｔ）５１，ＲＯＭ（Ｒｅａｄ  Ｏｎｌｙ  Ｍｅｍｏｒy）５２，ＲＡＭ（Ｒａｎｄｏｍ  Ａｃｃｅｓｓ  Ｍｅｍｏｒｙ）５３は、バス５４により相互に接続されている。
【００５８】
バス５４には、さらに、入出力インタフェース５５が接続されている。入出力インタフェース５５には、キーボード、マウス、マイクロホンなどを含む、あるいはそれらが無線接続される入力部５６、ディスプレイ、スピーカなどよりなる出力部５７、ハードディスクや不揮発性のメモリなどよりなる記憶部５８、および、無線によるネットワークインタフェースなどよりなる通信部５９が接続される。また、この例では、入出力インタフェース５５に、磁気ディスク、光ディスク、光磁気ディスク、或いは半導体メモリなどのリムーバブルメディア６１を駆動するドライブ６０が接続されている。
【００５９】
以上のように構成されるコンピュータでは、CPU５１が、例えば、記憶部５８に記憶されているプログラムを、入出力インタフェース５５及びバス５４を介して、ＲＡＭ５３にロードして実行することにより、上述した一連の処理が行われる。
【００６０】
コンピュータ（ＣＰＵ５１）が実行するプログラムは、例えば、磁気ディスク（フレキシブルディスクを含む）、光ディスク（ＣＤ−ＲＯＭ（Ｃｏｍｐａｃｔ  Ｄｉｓｃ−Ｒｅａｄ  Ｏｎｌｙ  Ｍｅｍｏｒｙ），ＤＶＤ等）、光磁気ディスク、もしくは半導体メモリなどよりなるパッケージメディアであるリムーバブルメディア６１に記録して、あるいは、ローカルエリアネットワーク、インターネット、デジタル衛星放送といった、有線または無線の伝送媒体を介して提供される。
【００６１】
そして、プログラムは、リムーバブルメディア６１をドライブ６０に装着することにより、入出力インタフェース５５を介して、記憶部５８に記憶することで、コンピュータにインストールすることができる。また、プログラムは、有線または無線の伝送媒体を介して、通信部５９で受信し、記憶部５８に記憶することで、コンピュータにインストールすることができる。その他、プログラムは、ＲＯＭ５２や記憶部５８にあらかじめ記憶しておくことで、コンピュータにあらかじめインストールしておくことができる。
【００６２】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【００６３】
また、本発明の実施の形態は、上述した実施の形態に限定されるものではなく、本発明の要旨を逸脱しない範囲において種々の変更が可能である。
【符号の説明】
【００６４】
２０…受信機、２１…受信アンテナ、２２…A/D変換部、２３…FFTタイミング検出部、２４…CP除去部、２５…FFT処理部、２６…チャネル推定部、２７…復調部、２８…チャネル復号部、３１…パターンキャンセル部、３２…バッファ、３３…位相差推定部（位相差推定手段）、３４…位相補正部（位相補正手段）、３５…時間平均処理部（チャネル推定手段）、３６…補間処理部
【図１】
2013190922.tif 000004
【図２】
2013190922.tif 000005
【図３】
2013190922.tif 000006
【図４】
2013190922.tif 000007
【図５】
2013190922.tif 000008
【図６】
2013190922.tif 000009
【図７】
2013190922.tif 000010
【図８】
2013190922.tif 000011
【図９】
2013190922.tif 000012
【図１０】
2013190922.tif 000013
【図１１】
2013190922.tif 000014
【国際調査報告】
2013190922.tif 000015
2013190922.tif 000016
2013190922.tif 000017
2013190922.tif 000018